(57)【要約】  【課題】歩道及び車道、車道及び法面といったように側溝用ブロックの両側から流れてくる地中水を側溝用ブロック内部の水路に導入することができる側溝用ブロックを提供すること  【解決手段】導水用部材１０は、一部が切り欠かれた延設部１１１に取り付けられて、延設部１１１の各壁面１１２、１１３、１１４の一部をなすように形成した。そして、導水用部材１０の上面部１１、内面部１２及び外面部１３のすべての面に形成された開口孔１５によって、延設部１１１の上壁面１１２、上壁面１１３、外壁面１１４のすべての面に導水用の孔が形成され、いずれの面からも雨水等の水を側溝ブロックの内部通路内に導水することができるようにした。【選択図】図１
2005240404.tif 000002
【特許請求の範囲】
【請求項１】
側溝用ブロックの側壁から上方に延びる延設部に取り付けられる導水用部材において、
該導水用部材は、取り付けられた際に延設部の上壁面、内壁面及び外壁面の一部をなす上面部、内面部及び外面部を備えてなり、上面部、内面部及び外面部のすべての面に開口孔が形成されていることを特徴とする導水用部材。
【請求項２】
上面部の開口孔の少なくとも一部は、内面部又は外面部まで連通して設けられてなることを特徴とする請求項１に記載の導水用部材。
【請求項３】
側溝用ブロックの側壁から上方に延びる延設部を有しており、
該延設部に少なくとも一つの導水用部材が取り付けられてなり、
該導水用部材は、取り付けられた際に前記延設部の上壁面、内壁面及び外壁面の一部をなす上面部、内面部及び外面部を備え、該上面部、内面部及び外面部のすべての面に開口孔が形成されていることを特徴とする側溝用ブロック。
【請求項４】
導水用部材の上面部の開口孔が、内面部又は外面部まで連通して設けられてなることを特徴とする請求項３に記載の側溝用ブロック。
【請求項５】
延設部は、側溝用ブロックの他の上面壁部又は他の側壁よりも上方に突出して形成されてなることを特徴とする請求項３又は４に記載の側溝用ブロック。
【発明の詳細な説明】
【技術分野】
【０００１】
本発明は、主として地中内を流れてくる雨水を内部水路内に導入するための部材及びこの部材が取り付けられた側溝用ブロックに関する。
【背景技術】
【０００２】
透水性舗装路のように地中を流れてくる雨水等を側溝用ブロック内の内部水路に導入するための側溝用ブロックとしては、硬質の板状基壁の表裏面間に、小石やアスファルト等の道路舗装材の落下を阻止しつつ地中水を側溝内へ導水する複数個の孔又は切欠からなる地中水又は側溝用ブロック側壁の接水導入孔を設け、道路舗装材に対面する側溝用ブロックの側壁又は上壁に形成されたその外面部から内面部に連通する小石径以上の大きさの孔部又は切欠部に装着する導水用部材が提案されている（特許文献１参照）。
【０００３】
この導水用部材によれば、側溝用ブロック上面部に舗装材等を載置して側溝用ブロックを地中に覆い隠した場合においても、地中に浸透した雨水を側溝内へ迅速に導き、特に、近年普及した透水舗装が施された多量の地中水が発生し得る区域においても、歩道の冠水や水溜まりの発生を迅速に回避することができる。また、道路の陥没やアスファルト材の摩耗等によって生じた、側溝用ブロックに接する段差部分に溜まった雨水をも有効且つ迅速に側溝内へ導水することができる、という作用効果を有する。
【０００４】
しかしながら、この従来の導水用部材は、側溝用ブロックの側壁に取り付けられるものであるため、導水用部材が取り付けられた側の道路から流れてくる地中水にしか対応することができなかった。一般的には、車道側にのみ導水用部材が取り付けられ、車道側に敷設された透水性舗装からくる地中水のみを導水させていた。
【０００５】
しかし、車道側とは反対側から流れてくる地中水も同様に側溝ブロック内に導入する必要がある。例えば、車道の脇に歩道がある場合に歩道から流れてくる地中水や、山間部の道路に設けられる側溝用ブロックの場合、道路側のみならず、山の法面からしみ出してくる雨水にも対応させる必要がある。このような場合、従来の導水性部材では、両端の側壁に導水性部材を取り付けなければならず、作製工程増える上、コストも高いものとなっていた。
【特許文献１】特開平１１−２６９９６９号公報
【発明の開示】
【発明が解決しようとする課題】
【０００６】
そこで、本発明は以上のような問題点を解決するためになされたものであり、歩道及び車道、車道及び法面といったように側溝用ブロックの両側から流れてくる地中水を側溝用ブロック内部の水路に導入することができる側溝用ブロックを提供することにある。
【課題を解決するための手段】
【０００７】
以上のような課題を解決するために、請求項１に記載された発明が採った手段は、側溝用ブロック１００の側壁１１０から上方に延びる延設部１１１に取り付けられる導水用部材１０において、該導水用部材１０は、取り付けられた際に延設部１１１の上壁面１１２、内壁面１１３及び外壁面１１４の一部をなす上面部１１、内面部１２及び外面部１３を備えてなり、上面部１１、内面部１２及び外面部１３のすべての面に開口孔１５が形成されていることを特徴とする導水用部材１０、とするものである。
【０００８】
本発明に係る導水用部材１０は、図１や図６のように少なくとも一方の側壁から上方に突出した延設部１１１を有する側溝用ブロック１００に取り付けて使用されるものである。導水用部材１０は、一部が切り欠かれた延設部１１１に取り付けられて、延設部１１１の各壁面１１２、１１３、１１４の一部をなすように形成されている。そして、導水用部材１０の上面部１１、内面部１２及び外面部１３のすべての面に形成された開口孔１５によって、延設部１１１の上壁面１１２、上壁面１１３、外壁面１１４のすべての面に導水用の孔が形成され、いずれの面からも雨水等の水を側溝ブロックの内部通路内に導水することができる。
【０００９】
さらに、請求項２に記載された発明が採った手段は、上面部１１の開口孔１５ａの少なくとも一部は、内面部１２又は外面部１３まで連通して設けられてなることを特徴とする請求項１に記載の導水用部材１０、とするものである。
【００１０】
上面部１１の少なくとも一部の開口孔１５ａが、そのまま内面部１２又は外面部１３までつながって形成されているものである。すなわち、開口孔１５ａが、上面部１１と、内面部１２及び外面部１３の連結部（角部）にまで渡り、開口孔１５ａが角に形成されているということである。このように形成することで、地中の上層ぎりぎりの場所を流れてくる水であっても、雨水が溜まることなく、確実に側溝用ブロック１００の内部水路に導水することができるようになる。
【００１１】
さらに、請求項３に記載された発明が採った手段は、側溝用ブロック１００の側壁１１０から上方に延びる延設部１１１を有しており、該延設部１１１に少なくとも一つの導水用部材１０が取り付けられてなり、該導水用部材１０は、前記延設部１１１の上壁面１１２、上壁面１１３及び外壁面１１４に適合した上面部１１、内面部１２及び外面部１３を備え、該上面部１１、内面部１２及び外面部１３のすべての面に開口孔１５が形成されていることを特徴とする側溝用ブロック１００、とするものである。
【００１２】
これは、請求項１に係る導水用部材１０が取り付けられた側溝用ブロック１００である。この側溝用ブロック１００は、比較的細く形成された延設部１１１を道路面に露出して敷設すれば、側溝用ブロック１００の両側から流れてくる地中水及び道路表面を流れてくる雨水の両方の水を効率的に側溝ブロック内の内部水路に導入することができる。
【００１３】
さらに、請求項４に記載された発明が採った手段は、導水用部材１０の上面部１１の開口孔１５が、内面部１２又は外面部１３まで連通して設けられてなることを特徴とする請求項３に記載の側溝用ブロック１００、とするものである。これは請求項２に係る導水用部材１０が取り付けられた側溝用ブロック１００に関するものである。
【００１４】
さらに、請求項５に記載された発明が採った手段は、延設部１１１は、側溝用ブロック１００の他の上面壁部１１４又は他の側壁１１０よりも上方に突出して形成されてなることを特徴とする請求項３又は４に記載の側溝用ブロック１００、とするものである。これは、延設部１１１が、他の上面壁部１１４又は他の側壁１１０よりも上方に突出して設けられているものである。ここで、「他の上面壁部」とは、延設部が形成される側壁の上面壁部以外の上面部をさしており、具体的に例示すると、図１１や、図１３の１１５の部分を指す。また「他の側壁」とは、延設部が形成される側壁以外の側壁を指す。具体的には、図１１の１１１ｂを指す。
【発明の効果】
【００１５】
本発明に係る導水用部材及び導水用部材が取り付けられた側溝用ブロックによれば、以下の効果を有する。
【００１６】
本発明に係る導水用部材は、上面部、内面部及び外面部のすべてに開口孔が形成されているので、地表を流れてきた雨水、地中を流れてきた地中水の両方を効率的に内部水路に導水することができる。
【００１７】
また、本発明に係る導水用部材は、内面部及び外面部に開口孔が設けられているので、例えば、車道と歩道、車道と山からの地下水等、側溝用ブロックの両側から流れてくる地中水を側溝ブロック内に導水することができる。
【００１８】
また、上面部に設けられた開口孔は、上面部と、内面部及び外面部と連通して設けられているので、側溝用ブロックと舗装路との境界で舗装路が摩耗や陥没によって低くなり、段差が形成された場合であっても、水が溜まることがなく、効率的に雨水を排水することができる。
【００１９】
さらに、本発明に係る側溝用ブロックによれば、道路表面に露出するブロックは、延設部のみであり、従来の側溝用ブロックと比較して、細長く形成でき、側溝用ブロックの目立たない路面を形成することができる。従って、道路の美観向上を図ることができる。
【発明を実施するための最良の形態】
【００２０】
本発明に係る導水用部材及び導水用部材が取り付けられた側溝ブロックについて説明する。なお、説明の便宜のため、本明細書及び特許請求の範囲の用語として、側溝用ブロックの部位は、側溝用ブロック１００の内部水路を形成する両側の壁板を側壁１１０と、その少なくとも一方から上方へ突出している部分を延設部１１１と、この延設部１１１の上側の面を上壁面１１２と、内側の面を内壁面１１３と、外側の面を外壁面１１４と呼ぶ。また、導水用部材１０は、この導水用部材１０が側溝用ブロック１００に取り付けられた場合に、側溝用ブロック１００の上壁面と形成する部位を上面部１１と、内壁面を形成する部位を内面部１２と、外壁面を形成する部位を外面部１３と呼ぶ。
【００２１】
本発明の導水用部材は、可変型側溝用ブロックや暗渠型の側溝用ブロックの側壁が上方に突出した延設部を備えた側溝用ブロックや、Ｕ字型ブロックの一方の側壁が他方の側壁よりも高く形成された延設部を備えたブロックのように、側溝用ブロックの種類は特に限定するものではないが、上方に延設する延設部を有するブロックに取り付けて使用される。
【００２２】
側溝用ブロックに設けられる延設部には、前記導水用部材を取付けるために、一部が切り欠かれている。切り欠きが形成される位置は、延設部の端部、中央部等いずれであってもよいし、ブロックの蓋が載置される近傍の延設部であっても、側溝用ブロックの他の上面壁部近傍の延設部であってもよい。暗渠ブロックタイプや、可変側溝の他の上面壁部が存在する場所に設ける場合には、雨水等が内部通路に流れ込むようにするために切り欠きから内部通路まで連通する通水路が設けられる。
【００２３】
そして、導水用部材は、この延設部の切り欠きに取り付けられることになる。なお、取り付けられるとは、完成された側溝用ブロックの切り欠きに後からはめ込む場合及びブロックの成型時に同時に一体的に作製する場合の双方を含むものである。導水用部材は、延設部の上壁面の幅と同等の幅に形成された上面部と、その上面部の両脇に内面部及び外面部が垂直に設けられていて、切り欠きに取り付けられたときにそれぞれ側溝用ブロックの上壁面、内壁面及び外壁面の一部をなすことになる。導水用部材は、さらに端部に側面板を設けても構わない。このように側面板を設けることで、導水用部材の形状の安定化を図ることができ、また、側溝用ブロックと一体で作製するときに、導水用部材の内部に生コンクリートが進入するのを防止することができる。また、成型時に一体として作製する場合には、導水用部材の側面から突出するような突出部を設けておくと、突出部がコンクリートブロック内部に埋設され、ブロックに確実に固定することができる。後付けする場合の取付方法については特に限定するものではなく、従来からあるように、ボルト止めなど適宜適当な方法を用いることができる。
【００２４】
導水用部材の上面部、内面部及び外面部には、開口孔が形成されている。これは雨水を外側から内側へ導水するためのものである。この孔の大きさや形状は特に限定するものではない、すべて丸孔で形成してもよいし、長孔にしてもよい。上面部に設けられる開口孔は、上面部と内面部又は外面部と連通するように設けることが好ましい。このように設けることで、上面部と内面部又は外面部との境界の角にも開口孔が形成されることになり、透水性舗装路等の上面部ぎりぎりを流れてきた雨水であっても、内部通路に導水することができ、また、側溝用ブロックより路面が低くなり段差が発生した場合であっても、水溜まりが発生するのを防止することができる。
【実施例１】
【００２５】
図１には、実施例１に係る導水用部材１０及びこの導水用部材１０取り付けられた側溝用ブロック１００の斜視図が示されている。本実施例１に使用されている側溝用ブロック１００は、両側に側壁１１０を備え、上面が閉じた可変型側溝用ブロックである。この可変型側溝用ブロックの中央には、側溝の蓋やグレーチング又は図５に示すような側溝の蓋を載置するための蓋載置用台１２０を載置するための矩形開口部１１６が設けられている。極めて大量の雨水が短時間で側溝用ブロック１００まで達するような場合に、矩形開口部１１６を設けることで、矩形開口部１１６からも地中水を排水することができ、より迅速かつ効率的に地中内又は地表の雨水を導水することが可能になる。可変型側溝用ブロック１００の一方の側壁１１０には、他の上面壁１１５より上方に延びる延設部１１１が形成されている。延設部１１１は、側壁全長に渡って形成されていて、その略中央部の切り欠きに導水用部材１０が取り付けられている。
【００２６】
切り欠きに取り付けられている導水用部材１０の斜視図が図２ａに断面図が図２ｂに示されている。導水用部材１０の上面部１１は、延設部１１１の上壁面１１２と同等の幅で形成されている。この上面部１１の両側には、内面部１２と外面部１３が垂直に連結されていて、図２ｂのように断面略コの字型に形成されている。実施例１においては、外面部１３の方が内面部１２と比較して下方に長く形成されている。そして、内面部１２及び外面部１３には複数の丸孔１５ｂ、１５ｃが形成されており、上面部１１には、内面部１２又は外面部１３まで連通した長孔１５ａが設けられている。さらに端部には、側面板１６が形成されており、導水用部材１０の断面が変形するのを防止している。この側面板１６からは、ブロック内に埋設されて導水用部材１０を側溝用ブロック１００に確実に固定するための突出部１７が設けられている。
【００２７】
そして、導水用部材１０は、側溝用ブロック１００に取り付けられて、それぞれ、上面部１１、内面部１２及び外面部１３は、延設部１１１の上壁面１１２、内壁面１１３及び外壁面１１４の一部をなすことになる。
【００２８】
このようにして作製された側溝用ブロック１００は、図３に示すように、延設部１１１の上壁面１１２のみを道路上面に露出した状態で敷設されて使用される。側溝の蓋１３０を載置した後、延設部１１１の上壁面１１２と同様の高さとなるように透水性の舗装が敷設された車道側の路面が完成する。一方、反対側にも同様に透水性の歩道が敷設されて歩道の路面が完成する。
【００２９】
以上のようにして敷設された側溝用ブロック１００によって、道路表面を流れてきた雨水は、導水用部材１０の上面部１１に形成された開口部１５ａから内部通路に導水され、車道側の地中内を流れてきた雨水は、内面部１２に形成された開口部１５ｂから内部通路に導水され、歩道側の地中内を流れてきた雨水は、外面部１３に形成された開口部１５ｃを介して、内部通路内に導水されることになる。
【００３０】
このときに上面部１１の開口孔１５ａを内面部１２又は外面部１３まで連通して形成してあるので、例えば、図４に示してあるように、舗装が摩耗や沈下等によって延設部１１１をより低くなり、延設部１１１と段差が形成されているような場合でも、上面部１１の開口孔１５ａのうち、内面部１２又は外面部１３にまで通じる開口孔１５ａにより、雨水は確実に内部通路へ導水され、この段差部に雨水が溜まることはない。
【００３１】
また、別の施工方法を図５に示す。延設部１１１の上壁面１１２のみを道路上面に露出した状態で敷設されて使用される点は前記と同様である。ただし、中央の矩形開口部１１６には、側溝の蓋１３０を載置するための蓋載置用台１２０が置かれる。蓋載置用台１２０は、矩形開口部１１６に嵌合可能な大きさに形成されている。その内側上面には、側溝の蓋１３０を保持するため開口孔を複数形成された鉄枠が側溝の蓋１３０の同様の大きさで囲い、型枠１２１を形成している。さらに、その型枠１２１の内側は、側溝の蓋１３０を載置するための載置領域が確保され、その他は開口されている。蓋載置用台１２０を載置した後、延設部１１１の上壁面１１２と同様の高さとなるように透水性の舗装が敷設された車道側の路面が完成する。一方、反対側にも同様に透水性の歩道が敷設されて歩道の路面が完成する。
【００３２】
以上のようにして敷設された側溝用ブロック１００によって、車道側から流れてきた雨水のうち、道路表面を流れてくる雨水は、型枠１２１と側溝の蓋１３０の隙間や導水用部材１０と側溝の蓋１３０との隙間及び導水用部材１０の上面部１１及び内面部１２の開口孔１５ａから雨水が内部通路に導水されることになる。また地中を流れてきた雨水は、型枠１２１に形成された開口孔から内部水路内に導水されることになる。一方、歩道から流れてきた雨水は、導水用部材１０の外面部１３の開口孔１５ｃから内部水路に導水されることになる。
【実施例２】
【００３３】
図６には実施例２に係る導水用部材１０及び導水用部材が取り付けられた側溝用ブロック１００が示されている。この実施例２に使用される側溝用ブロック１００は、導水性部材１０が取り付けられる中央部近傍にのみ延設部１１１を設け、その他の部分には延設部１１１が設けられていないものである。その他の構成については、実施例１と同様である。導水用部材１０は、内面部１２と外面部１３の大きさが同等の大きさで作製されている点を除いては、実施例２と同様である。敷設方法も実施例１のものと同様である。
【実施例３】
【００３４】
図７には、実施例３に係る導水用部材１０及び導水用部材１０が取り付けられた側溝用ブロック１００が示されている。この実施例３で使用されている側溝用ブロック１００は、導水用部材１０が取り付けられる切り欠きが、矩形開口部１１６が存在する場所と異なる場所に設けられている。そして、図８の断面図に示すように、切り欠きから内部水路まで水が導水できるように通水路が形成されている。導水用部材１０は、実施例１で用いたものと同様である。敷設方法は、実施例１のものと同様である。
【実施例４】
【００３５】
図９には、実施例４に係る導水用部材１０及び導水用部材１０が取り付けられた側溝用ブロック１００が示されている。実施例４で使用されている側溝用ブロック１００は、導水用部材１０が取り付けられる切り欠きが端部に設けられ、導水用部材１０が端部に設けられている点を除き、実施例３と同様である。導水用部材１０は、端部に設けられることを考慮して、実施例１に記載のものと比較して、図１０に示すように一方の側面板１６及び突出部１７が形成されていない。また、上面部１１の開口孔１５ａは、すべて丸孔で形成されている。敷設方法は実施例１のものとほぼ同様である。
【実施例５】
【００３６】
図１１には実施例５に係る導水用部材１０及び導水用部材１０が取り付けられた側溝用ブロック１００が示されている。この実施例５での側溝用ブロック１００は、いわゆるＵ字型の側溝用ブロックが用いられる。側溝用ブロック１００の一方の側壁１１０ａは、他方の側壁１１０ｂより上方に高く延設して設けられた延設部１１１を備えている。そして、延設部１１１の略中央には、切り欠きが設けられていて、この切り欠きには、実施例１と同様の導水用部材１０が取り付けられている。勿論、切り欠きは、必ずしも中央である必要はなく、端部等に取り付けても構わない。
【００３７】
図１２には、上記Ｕ字型の側溝用ブロック１００の敷設方法が示されている。図１２に示すように、延設部１１１の上壁面１１２のみを道路上面に露出した状態で敷設されて使用される。側溝の蓋１３０を載置した後、延設部１１１の上壁面１１２と同様の高さとなるように透水性の舗装が敷設された車道側の路面が完成する。一方、反対側にも同様に透水性の歩道が敷設されて歩道の路面が完成する。
【実施例６】
【００３８】
図１３には、実施例６に係る導水用部材１０及び導水用部材１０が取り付けられた側溝用ブロック１００が示されている。この実施例６に係る側溝用ブロック１００は、いわゆる暗渠型の側溝用ブロック１００であり、一方の側壁１１０から上方に延設された延設部１１１を有している。そして、この延設部１１１の略中央には、切り欠きが設けられていて、この切り欠きには、実施例１と同様の導水用部材が取り付けられている。
【図面の簡単な説明】
【００３９】
【図１】実施例１に係る導水用部材が取り付けられた側溝ブロックを示す斜視図である。
【図２】図１に取り付けられた導水用部材１０を示す斜視図及び断面図である。
【図３】実施例１に係る導水用部材が取り付けられた側溝ブロックの使用状態を示す斜視図である。
【図４】導水用部材が取り付けられた側溝ブロックの使用状態を示す断面図である。
【図５】実施例１に係る導水用部材が取り付けられた側溝ブロックの別の使用状態を示す斜視図である。
【図６】実施例２に係る導水用部材が取り付けられた側溝ブロックの斜視図である。
【図７】実施例３に係る導水用部材が取り付けられた側溝ブロックの斜視図である。
【図８】実施例３に係る導水用部材が取り付けられた側溝ブロックの断面図である。
【図９】実施例４に係る導水用部材が取り付けられた側溝ブロックの斜視図である。
【図１０】図９に取り付けられた導水用部材を示す斜視図である。
【図１１】実施例５に係る導水用部材が取り付けられた側溝ブロックの斜視図である。
【図１２】実施例５に係る導水用部材が取り付けられた側溝ブロックの使用状態を示す斜視図である。
【図１３】実施例６に係る導水用部材が取り付けられた側溝ブロックの斜視図である。
【符号の説明】
【００４０】
１００  側溝用ブロック
１１０  側壁
１１１  延設部
１１２  上壁面
１１３  内壁面
１１４  外壁面
１０    導水用部材
１１    上面部
１２    内面部
１３    外面部
１５    開口孔
【図１】
2005240404.tif 000003
【図２】
2005240404.tif 000004
【図３】
2005240404.tif 000005
【図４】
2005240404.tif 000006
【図５】
2005240404.tif 000007
【図６】
2005240404.tif 000008
【図７】
2005240404.tif 000009
【図８】
2005240404.tif 000010
【図９】
2005240404.tif 000011
【図１０】
2005240404.tif 000012
【図１１】
2005240404.tif 000013
【図１２】
2005240404.tif 000014
【図１３】
2005240404.tif 000015